(57)【特許請求の範囲】
【請求項１】
被選別穀類の揚上選別部と、この揚上選別部の上部正面側に、選別された整粒を一旦貯留するタンクを備え、揚上選別部の背面側に、被選別穀類の供給ホッパを備えてなる穀類選別機において、揚上選別部には、上記タンクの下部の周りと供給ホッパの上方を通るように揚上選別部の上部を囲む一連水平状のパイプフレームからなり、移動運搬時の手掛部および手回り品などの掛け具を兼ねた安全フレームを取り付けてなることを特徴とする穀類選別機。
【請求項２】
タンク側の安全フレームおよび供給ホッパ側の安全フレームは、その一方または両方の前フレーム部分が張り出し調節自在に構成されていることを特徴とする請求項１記載の穀類選別機。
【発明の詳細な説明】
【０００１】
【発明の属する技術分野】
本発明は、被選別穀類の揚上選別部と、この揚上選別部の上部正面側に、選別された整粒を一旦貯留するタンクを備え、揚上選別部の背面側に、被選別穀類の供給ホッパを備えてなる穀類選別機に関する。
【０００２】
【従来の技術】
回転選別網筒の内部に回転螺旋体を設けて、被選別穀類を回転螺旋体で揚上移動させながら回転選別網筒により屑粒を選別排出する穀類選別機は、例えば、特開平９−４３０３５号公報に記載されており、この穀類選別機は、被選別穀類の揚上選別部の上部正面側に整粒のタンクを、また背面側に被選別穀類の供給ホッパーをそれぞれ備えているものである。
【０００３】
【発明が解決しようとする課題】
ところで、この種の穀類選別機において、整粒のタンクは選別部の上部正面側に大きく張り出していて、タンクの下面には自動開閉シャッタを備えた穀類送出口が突出しているので、タンクに向かって行う穀類の袋詰め作業や穀類選別機の移動運搬作業などにあたっている作業者が、屈み込んだ姿勢から立ち上がる際に頭部や肩部などをタンクの下面や穀類送出口にぶつける事故を起こしやすく、作業の安全上問題である。また、選別部の背面側にも被選別穀類の供給ホッパが突出しているので、ここにも作業者が身体を引っかけたり、物をぶつけやすいなど、やはり作業の安全上問題である。
【０００４】
そこで、本発明は、従来のこのような問題点に鑑み、タンクの下部の周りと供給ホッパの上方を通るように揚上選別部の上部を囲む一連水平状のパイプフレームからなり、移動運搬時の手掛部および手回り品などの掛け具を兼ねた安全フレームを取り付けたことにより、この安全フレームによってタンクや供給ホッパの存在認識を容易かつ確実にして安全を確保することができるようにし、併せて安全フレームを作業中に使用する手拭いやメモ類などの掛け具として便利に利用でき、また、穀類選別機の移動運搬時には手掛部となって移動運搬の作業が容易にできる穀類選別機を提供することを目的とするものである。
【０００５】
【課題を解決するための手段】
本発明は、上記目的を達成するため次のように構成した。すなわち、請求項１記載の穀類選別機は、被選別穀類の揚上選別部と、この揚上選別部の上部正面側に、選別された整粒を一旦貯留するタンクを備え、揚上選別部の背面側に、被選別穀類の供給ホッパを備えてなる穀類選別機において、揚上選別部には、上記タンクの下部の周りと供給ホッパの上方を通るように揚上選別部の上部を囲む一連水平状のパイプフレームからなり、移動運搬時の手掛部および手回り品などの掛け具を兼ねた安全フレームを取り付けてなることを特徴とするものである。
【０００６】
また、請求項２記載の穀類選別機は、タンク側の安全フレームおよび供給ホッパ側の安全フレームは、その一方または両方の前フレーム部分が張り出し調節自在に構成されていることを特徴とするものである。
【０００７】
【発明の実施の形態】
図１は本発明の一実施の形態に係る穀類選別機の全体側面図、図２は他の形態に係る穀類選別機の全体斜視図、図３はさらに他の形態に係る穀類選別機の全体斜視図、図４は図３の穀類選別機を移動運搬する態様を示す全体斜視図である。
【０００８】
図に例示する穀類選別機１は、穀類中に混在している屑粒を選別除去し、選別された穀類を所定重量ごとに袋詰めする計量機能を備えたものである。なお、重量計は図示していない。穀類選別機１は、その外装体２内に、回転選別網筒とそれに内装された回転螺旋体とで構成した揚上選別部３を備えており、揚上選別部３の上部正面側には選別穀類の整粒を一時貯留するタンク４が、また揚上選別部３の背面側中位部には被選別穀類の供給ホッパ５がそれぞれ設けられている。タンク４の下面には、自動開閉シャッタ６を備えた選別穀類の送出口７を有している。
【０００９】
上記送出口７の下方には重量計（図示せず）を配置して、その上にセットした収納袋に送出口７から送出される選別穀類を予め設定してある重量まで収納されると、自動開閉シャッタ６が閉作動するようになっている。８は制御部の表示器であってタンク４の正面に設けてある。
【００１０】
図１に示すように、揚上選別部３には安全フレーム９が取り付けられている。この安全フレーム９は、タンク４の下部を囲むとともに供給ホッパ５の上方でその上部の輪郭を囲むように一連水平状のパイプフレームであって、１０はその取付アームである。安全フレーム９のタンク４側と供給ホッパ５側のそれぞれの前フレーム部分１１，１２は張り出し調節自在となっている。
【００１１】
図２にはタンク４側と供給ホッパ５側の安全フレーム１３，１４をそれぞれ別体構成としたものを示している。そして、この別体構成の安全フレーム１３，１４は、その前フレーム部分１５，１６が張り出し調節および収納自在となっており、１７，１８はそのための緊締ネジである。この実施の形態にあっては、安全フレーム１３の張り出し調節により、その安全フレーム１３をタンク４の下方でタンク下部の輪郭に沿う状態にするか、または囲む状態とすることができる。また、安全フレーム１３，１４の何れか一方または両方を揚上選別部３の外面に沿うように収納状態とすることができるので、穀類選別機１の梱包などにあたって安全フレーム１３，１４が邪魔になることがない。
【００１２】
図３に示した形態においては、安全フレーム１９を、タンク４の下方でタンク４下部の輪郭を囲むとともに供給ホッパ５の上方でその上部の輪郭を囲むように一連水平状のパイプフレームとしている。なお、この実施の形態にあっても、安全フレーム１９のタンク４側および供給ホッパ５側の前フレーム部分を張り出し調節自在とすることができる。
【００１３】
図４には、図３の穀類選別機１を移動運搬するにあたって、安全フレーム１９を作業者の手掛部として利用する態様を示しているが、図１または図２に示す実施の形態のものにあっても、安全フレーム９，１３，１４を同様に移動運搬時の手掛部とすることができることは勿論である。
【００１４】
また、図示しないが、図１、図２または図３に示す実施の形態とも、安全フレーム９，１３，１４を、作業中に使用する手拭いやメモ類、その他の手回り品などの掛け具として利用できるので、本発明に係る穀類選別機１は、作業上きわめて利便性の高いものである。
【００１５】
【発明の効果】
本発明によれば、タンクの下部の周りと供給ホッパの上方を通るように揚上選別部の上部を囲む一連水平状のパイプフレームからなり、移動運搬時の手掛部および手回り品などの掛け具を兼ねた安全フレームを取り付けたことにより、この安全フレームによってタンクや供給ホッパの存在認識を容易かつ確実にして安全を確保することができ、併せて安全フレームを作業中に使用する手拭いやメモ類などの掛け具として便利に利用できるうえ、また、穀類選別機の移動運搬時には手掛部となって移動運搬の作業が容易にできる効果が得られる。
【図面の簡単な説明】
【図１】  本発明の一実施の形態に係る穀類選別機の全体側面図である。
【図２】  他の形態に係る穀類選別機の全体斜視図である。
【図３】  さらに他の形態に係る穀類選別機の全体斜視図である。
【図４】  図３の穀類選別機を移動運搬する態様を示す全体斜視図である。
【図１】
0003733460.tif 000002
【図２】
0003733460.tif 000003
【図３】
0003733460.tif 000004
【図４】
0003733460.tif 000005